(57)【要約】【課題】過拘束による作動不良を防止することのできるレンズ装置を提供する。【解決手段】本発明のレンズ装置１０は、筐体３６にスライド自在に支持され、且つ、そのスライド方向が異なる一対のスライダ５４、８４と、一対のスライダ５４、８４にスライド自在に支持されるレンズ保持枠５０とを備える。一対のスライダ５４、８４を筐体３６に対してスライドさせることによって、レンズ保持枠５０が光軸Ｌの直交面内で移動する。レンズ保持枠５０には移動ガイドバー５２、８２が取り付けられ、一対のスライダ５４、８４には、移動ガイドバー５２、８２が挿通されてガイドされるガイド孔を備えた複数のガイド部５６、５７、８６、８７が設けられる。複数のガイド孔のうち、少なくとも一つのガイド孔１１０は、移動ガイドバー８２に対して、光軸Ｌの直交方向に遊びを持って係合される。【選択図】  図４
2008225267.tif 000002
【特許請求の範囲】
【請求項１】
筐体にスライド自在に支持され、且つ、そのスライド方向が異なる一対のスライダと、該一対のスライダにスライド自在に支持されるレンズ保持枠とを備え、前記一対のスライダを筐体に対してスライドさせることによって前記レンズ保持枠が光軸の直交面内で移動するレンズ装置において、
前記一対のスライダと前記レンズ保持枠の一方には、ガイドバーが固定され、
前記一対のスライダと前記レンズ保持枠の他方には、前記ガイドバーが挿通されるガイド孔を備えた複数のガイド部が設けられ、
前記複数のガイド部と前記ガイドバーとを介して、前記レンズ保持枠が前記一対のスライダにスライド自在に支持されるとともに、
前記複数のガイド部に形成された複数のガイド孔のうち、少なくとも一つのガイド孔は、前記ガイドバーに対して、前記光軸の直交方向に遊びを持って係合されることを特徴とするレンズ装置。
【請求項２】
前記ガイドバーは円柱状に形成され、
前記少なくとも一つのガイド孔は、前記光軸の直交方向に長い長孔であることを特徴とする請求項１に記載のレンズ装置。
【請求項３】
前記レンズ保持枠には、前記ガイドバーが異なる方向に二本固定され、
前記一対のスライダには前記ガイド部が二個ずつ設けられ、該二個のガイド部のガイド孔に一本の前記ガイドバーが挿通されるとともに、
前記ガイド孔の一つが前記光軸の直交方向に長い長孔であることを特徴とする請求項２に記載のレンズ装置。
【発明の詳細な説明】
【技術分野】
【０００１】
本発明はレンズ装置に係り、特に携帯用の映像撮影装置に設けられ、像ブレ補正装置を有するレンズ装置に関する。
【背景技術】
【０００２】
像ブレ補正装置は、補正レンズが撮影光軸に直交する面内で移動自在に支持されており、カメラに振動が加わった際に、その振動を打ち消す方向に補正レンズをアクチュエータで移動させることによって像ブレを補正している。例えば、特許文献１に記載の像ブレ補正装置は、補正レンズの固定枠がピッチ方向に移動自在となるように第１保持枠に保持され、この第１保持枠がヨー方向に移動自在となるように第２保持枠に保持されている。そして、固定枠に取り付けたピッチコイルや、第１保持枠に取り付けたヨーコイルによって、補正レンズがピッチ方向或いはヨー方向に移動され、像ブレが補正されている。
【０００３】
しかし、特許文献１の像ブレ補正装置は、第２保持枠の上に第１保持枠が取り付けられているため、第２保持枠を移動する際に第１保持枠も移動し、レンズの移動速度が遅く、高精度の像ブレ補正を行うことができない。
【０００４】
この問題を解消するため、特許文献２の像ブレ補正装置は、筐体（本体）に対して独立してスライドする二つのスライダを備え、このスライダを別々にレンズ保持枠に係合させている。すなわち、特許文献２は、レンズ保持枠に二本の移動ガイドバーが異なる方向に取り付けられており、この二本の移動ガイドバーにそれぞれスライダが係合される。この二つのスライダは、筐体に固定された二本の固定ガイドバーに別々に支持されており、固定ガイドバーに沿ってスライドすることができる。したがって、特許文献２の像ブレ補正装置は、レンズ保持枠が二方向に独立して移動するので、レンズ保持枠を迅速に移動させることができ、高精度の像ブレ補正を行うことができる。
【特許文献１】特許第２６４１１７２号公報
【特許文献２】特開２００６−２１５０９５号公報
【発明の開示】
【発明が解決しようとする課題】
【０００５】
しかしながら、特許文献２の像ブレ補正装置は、レンズ保持枠とスライダとの係合箇所が多いため、過拘束が生じて作動不良を発生するおそれがあった。すなわち、特許文献２は、各移動ガイドバーがスライダに対して二カ所のガイド部を介して係合され、合計四カ所で係合されており、加工精度や取付精度が低下した際に、四カ所の係合部のいずれかで過拘束が発生し、スライダと移動ガイドバーとがスムーズに摺動せず、作動不良を発生するおそれがあった。
【０００６】
本発明はこのような事情に鑑みて成されたもので、過拘束による作動不良を防止することのできるレンズ装置を提供することを目的とする。
【課題を解決するための手段】
【０００７】
請求項１に記載の発明は前記目的を達成するために、筐体にスライド自在に支持され、且つ、そのスライド方向が異なる一対のスライダと、該一対のスライダにスライド自在に支持されるレンズ保持枠とを備え、前記一対のスライダを筐体に対してスライドさせることによって前記レンズ保持枠が光軸の直交面内で移動するレンズ装置において、前記一対のスライダと前記レンズ保持枠の一方には、ガイドバーが固定され、前記一対のスライダと前記レンズ保持枠の他方には、前記ガイドバーが挿通されるガイド孔を備えた複数のガイド部が設けられ、前記複数のガイド部と前記ガイドバーとを介して、前記レンズ保持枠が前記一対のスライダにスライド自在に支持されるとともに、前記複数のガイド部に形成された複数のガイド孔のうち、少なくとも一つのガイド孔は、前記ガイドバーに対して、前記光軸の直交方向に遊びを持って係合されることを特徴とする。
【０００８】
請求項１の発明によれば、ガイド孔の一つがガイドバーに対して遊び（隙間）を持って係合されるので、そのガイド孔の位置で過剰な拘束力を逃がすことができる。したがって、請求項１の発明によれば、過拘束が生じることを防止することができ、レンズ保持枠を一対のスライダに対してスムーズにスライドさせることができる。
【０００９】
また、請求項１の発明によれば、光軸の直交方向に遊び（隙間）を設けて過拘束を防止したので、光軸方向にはスライダとレンズ保持枠とを隙間なく係合させることができる。したがって、請求項１の発明によれば、レンズ保持枠が光軸方向にガタつくことを防止することができ、光学性能が低下することを防止することができる。
【００１０】
請求項２に記載の発明は請求項１の発明において、前記ガイドバーは円柱状に形成され、前記少なくとも一つのガイド孔は、前記光軸の直交方向に長い長孔であることを特徴とする。
【００１１】
請求項２の発明によれば、ガイド孔の一つが光軸の直交方向に長い長孔であるので、ガイドバーを光軸の直交方向に遊び（隙間）を持って係合させることができる。
【００１２】
請求項３に記載の発明は請求項２の発明において、前記レンズ保持枠には、前記ガイドバーが異なる方向に二本固定され、前記一対のスライダには前記ガイド部が二個ずつ設けられ、該二個のガイド部のガイド孔に一本の前記ガイドバーが挿通されるとともに、前記ガイド孔の一つが前記光軸の直交方向に長い長孔であることを特徴とする。
【００１３】
請求項３の発明によれば、ガイドバーとガイド部とが四カ所で係合され、そのうちの一つのガイド部はガイド孔が光軸の直交方向に長い長孔であるので、このガイド部の位置で過剰な拘束力を逃がすことができる。
【発明の効果】
【００１４】
本発明によれば、ガイド孔の一つがガイドバーに対して遊び（隙間）を持って係合されるので、そのガイド孔によって過剰な拘束力を逃がすことができ、レンズ保持枠をスムーズにスライドさせることができる。
【発明を実施するための最良の形態】
【００１５】
以下添付図面に従って、本発明に係るレンズ装置の好ましい実施の形態について詳説する。
【００１６】
図１には、実施の形態に係るレンズ装置１０の側断面図が示されている。このレンズ装置１０は、撮影光軸前方側（被写体側）から撮影光軸後方（撮像側）に向って第１レンズ群１２、第２レンズ群１４、第３レンズ群１６、及び第４レンズ群１８から構成されており、これらの第１乃至第４レンズ群１２〜１８を通過した被写体光は、色分解光学系を構成する色分解プリズム２０を介して色分解プリズム２０のＲ、Ｇ、Ｂの各出射端に設けられた撮像素子２２、２４、２６に結像される。なお、このレンズ装置１０が装備されるカメラ本体（不図示）には、撮像素子２２、２４、２６から得られた撮像信号に所要の処理（ホワイトバランス、γ補正等）を施して所定形式の映像信号を生成する信号処理回路（不図示）等が搭載されている。
【００１７】
第１レンズ群１２はいわゆる前玉レンズであり、第２レンズ群１４は焦点距離を変更するバリエータレンズ、第３レンズ群１６は手振れ等に起因する振動を打ち消す方向に駆動される防振レンズ、第４レンズ群１８は焦点を調整するフォーカスレンズである。
【００１８】
これらの第１乃至第４レンズ群１２〜１８は、レンズ鏡胴本体１１内に保持されている。また、レンズ鏡胴本体１１内には、光軸と平行な一対のガイドバー２８（一方は不図示）が挿通配置されており、この一対のガイドバー２８に第２レンズ群１４の保持枠３２及び第４レンズ群１８の保持枠３４がそれぞれスライド移動自在に支持されるとともに、第３レンズ群１６の筐体３６が一対のガイドバー２８に固定されている。なお、筐体３６をレンズ鏡胴本体１１に直接固定してもよい。
【００１９】
第２レンズ群１４には、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がズーム用ステッピングモータ（不図示）の出力軸に連結されている。ズーム用ステッピングモータのズームドライバ回路（不図示）にカメラ本体側からズーム信号が出力されると、ズーム用ステッピングモータはその信号に対応した方向に送りねじを回転駆動する。これによって、第２レンズ群１４が一対のガイドバー２８に沿って光軸方向に前後移動され、所望の焦点距離に調整される。
【００２０】
第４レンズ群１８にも同様に、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がフォーカス用ステッピングモータ（不図示）の出力軸に連結されている。フォーカス用ステッピングモータのフォーカスドライバ回路（不図示）にカメラ本体側からフォーカス信号が出力されると、フォーカス用ステッピングモータはその信号に対応した方向に送りねじを回転駆動する。これによって、第４レンズ群１８が一対のガイドバー２８に沿って光軸方向に前後移動され、焦点が合わされる。
【００２１】
次に、防振機構の構造について説明する。
【００２２】
図２は、防振レンズ１６を装備した筐体３６を後方から見た斜視図であり、図３は、図２に示した筐体３６からアクチュエータを除いた斜視図である。
【００２３】
これらの図に示すように、第３レンズ群（ここでは便宜上、防振レンズと称する）１６は、レンズ保持枠５０に保持され、このレンズ保持枠５０は撮影光軸Ｌに直交する面内で、異なる二方向に移動自在に支持される。以下、防振レンズ１６の移動方向をＸ方向（図２、図３の横方向）、Ｙ方向（図２、図３の縦方向）とする。また、防振レンズ１６をＸ方向に移動させる機構をＸ移動機構、Ｙ方向に移動させる機構をＹ移動機構と称する。
【００２４】
まず、Ｘ移動機構について説明する。
【００２５】
レンズ保持枠５０には、移動ガイドバー５２が固定される。移動ガイドバー５２は、Ｙ方向に配設され、この移動ガイドバー５２にスライダ５４が係合される。スライダ５４は、上辺部と左辺部から成るＬ字状に形成され、左辺部には二つのガイド部５６、５７が光軸方向に突出して形成される。各ガイド部５６、５７にはガイド孔（不図示）がＹ方向に形成され、これらのガイド孔に移動ガイドバー５２が挿通される。これにより、スライダ５４が移動ガイドバー５２に沿ってＹ方向にスライド自在に係合される。したがって、レンズ保持枠５０はスライダ５４によってＹ方向にスライド自在に支持される。また、レンズ保持枠５０はＸ方向の動きがスライダ５４に規制され、スライダ５４をＸ方向に移動した際にレンズ保持枠５０もＸ方向に移動される。
【００２６】
なお、移動ガイドバー５２の図中下端部５２Ａは、筐体３６に形成されたＸ方向の長孔５８に係合されており、これによって、レンズ保持枠５０の倒れ（光軸方向に対する傾き）が防止される。
【００２７】
スライダ５４の上辺部には、Ｘ方向のガイド孔（不図示）が形成されており、このガイド孔に固定ガイドバー６０が挿通される。固定ガイドバー６０は、Ｘ方向に配設され、その両端部は筐体３６に固定される。これにより、スライダ５４は、固定ガイドバー６０に沿ってＸ方向にスライド自在に支持される。スライダ５４をＸ方向にスライドさせることによって、スライダ５４の左辺部に移動ガイドバー５２を介して係合されたレンズ保持枠５０がＸ方向にスライドされる。
【００２８】
また、スライダ５４の上辺部には、平面状のモータコイル（商品名「ファインパターンコイル」（登録商標））６２が固定され、このモータコイル６２の下面にフレキシブルプリント基板（以下、フレキと称する）６４の出力端が接着固定される。モータコイル６２は防振レンズ１６の外側周辺でＸ方向に配設されており、また、フレキ６４にホール素子等の位置センサ６６が位置決めされて固着されている。
【００２９】
フレキ６４は、モータコイル６２からＸ方向に引き出され、筐体３６の側面開口６８を介して筐体３６の外部に引き出される。外部に引き出されたフレキ６４は、外側に屈曲され、さらにＶ状（またはＵ状）の屈曲部が形成された後、レンズ鏡胴本体１１（図１参照）の所定の位置からレンズ鏡胴本体１１の外部に引き出される。引き出されたフレキ６４は、電源供給や防振レンズ１６の動作制御を行うユニットに接続される。なお、筐体３６の側面開口６８は、スリット７０を介して筐体３６の端面に連通されており、このスリット７０にフレキ６４を通すことによってフレキ６４が側面開口６８の内部に配置される。
【００３０】
モータコイル６２の外側には、マグネット７２がモータコイル６２に対向して配置される。マグネット７２は、矩形の板状に形成され、Ｓ極７２ＡとＮ極７２ＢがＸ方向に並ぶように配設される。前述した位置センサ６６はマグネット７２のＳ極７２ＡとＮ極７２Ｂとの境界部に対向して配置され、磁場の変化を検出し、その検出した信号を、フレキ６４を介して前記ユニットに出力する。
【００３１】
マグネット７２の外側には、ヨークとなる金属板（不図示）が設けられる。金属板は、マグネット７２の磁力によってマグネット７２に吸着される。また、金属板は、マグネット７２よりも大きな矩形状に形成されており、その縁部がマグネット７２から突出した状態で取り付けられる。筐体３６の外面には、金属板の大きさの凹部が形成され、さらにその内側にマグネット７２の大きさの開口７４が形成されており、この筐体３６の凹部に金属板が収納され、開口７４にマグネット７２が収納される。
【００３２】
モータコイル６２の内側には、ヨークとなる金属板７６がモータコイル６２に対向してＸ方向に配置される。この金属板７６は、その一端が前記スリット７０に差し込まれ、その他端が筐体３６に形成された溝７８に差し込まれることにより筐体３６に固定される。
【００３３】
上記の如く構成されたＸ移動機構は、マグネット７２及び２枚の金属板（一方は不図示）７６によって形成される磁界内にモータコイル６２が配設されるので、モータコイル６２に通電することによって、モータコイル６２及びそれを支持するスライダ５４がＸ方向に力を受ける。したがって、スライダ５４及びレンズ保持枠５０がＸ方向に移動され、よって、防振レンズ１６がＸ方向に移動される。以上が防振機構の構造である。
【００３４】
次に、Ｙ移動機構について説明する。
【００３５】
レンズ保持枠５０には、移動ガイドバー８２が固定される。移動ガイドバー８２は、Ｘ方向に配設され、この移動ガイドバー８２にスライダ８４が係合される。スライダ８４は、下辺部と右辺部から成るＬ字状に形成され、下辺部には二つのガイド部８６、８７が光軸方向に突出して形成される。各ガイド部８６、８７にはガイド孔１１０（一方は不図示、図４参照）がＸ方向に形成され、これらのガイド孔１１０に移動ガイドバー８２が挿通される。これにより、スライダ８４が移動ガイドバー８２に沿ってＸ方向にスライド自在に係合される。したがって、レンズ保持枠５０はスライダ８４によってＸ方向にスライド自在に支持される。また、レンズ保持枠５０はＹ方向の動きがスライダ８４に規制され、スライダ８４をＹ方向に移動した際にレンズ保持枠５０もＹ方向に移動される。
【００３６】
スライダ８４の右辺部には、Ｙ方向のガイド孔（不図示）が形成されており、このガイド孔に固定ガイドバー９０が挿通される。固定ガイドバー９０は、Ｙ方向に配設され、その両端部は筐体３６に固定される。これにより、スライダ８４は、固定ガイドバー９０に沿ってＹ方向にスライド自在に支持される。スライダ８４をＹ方向にスライドさせることによって、スライダ８４の下辺部に移動ガイドバー８２を介して係合されたレンズ保持枠５０がＹ方向にスライドされる。
【００３７】
また、スライダ８４の右辺部には、平面状のモータコイル（商品名「ファインパターンコイル」（登録商標））９２が固定され、このモータコイル９２の左面にフレキシブルプリント基板（以下、フレキと称する）９４の出力端が接着固定される。モータコイル９２は防振レンズ１６の外側周辺でＹ方向に配設されており、また、フレキ９４にホール素子等の位置センサ９６が位置決めされて固着されている。
【００３８】
フレキ９４は、モータコイル９２からＹ方向に引き出され、筐体３６の側面開口９８を介して筐体３６の外部に引き出される。外部に引き出されたフレキ９４は、外側に屈曲され、さらにＶ状（またはＵ状）の屈曲部が形成された後、レンズ鏡胴本体１１（図１参照）の所定の位置からレンズ鏡胴本体１１の外部に引き出される。引き出されたフレキ９４は、電源供給や防振レンズ１６の動作制御を行うユニットに接続される。なお、筐体３６の側面開口９８は、スリット１００を介して筐体３６の端面に連通されており、このスリット１００にフレキ９４を通すことによってフレキ９４が側面開口９８の内部に配置される。
【００３９】
モータコイル９２の外側には、マグネット１０２がモータコイル９２に対向して配置される。マグネット１０２は、矩形の板状に形成され、Ｓ極１０２ＡとＮ極１０２ＢがＹ方向に並ぶように配設される。前述した位置センサ９６はマグネット１０２のＳ極１０２ＡとＮ極１０２Ｂとの境界部に対向して配置され、磁場の変化を検出し、その検出した信号を、フレキ９４を介して前記ユニットに出力する。
【００４０】
マグネット１０２の外側には、ヨークとなる金属板（不図示）が設けられる。金属板は、マグネット１０２の磁力によってマグネット１０２に吸着される。また、金属板は、マグネット１０２よりも大きな矩形状に形成されており、その縁部がマグネット１０２から突出した状態で取り付けられる。筐体３６の外面には、金属板の大きさの凹部が形成され、さらにその内側にマグネット１０２の大きさの開口１０４が形成されており、この筐体３６の凹部に金属板が収納され、開口１０４にマグネット１０２が収納される。
【００４１】
モータコイル９２の内側には、ヨークとなる金属板１０６がモータコイル９２に対向してＹ方向に配置される。この金属板１０６は、その一端が前記スリット１００に差し込まれ、その他端が筐体３６に形成された溝１０８に差し込まれることにより筐体３６に固定される。
【００４２】
上記の如く構成されたＹ移動機構は、マグネット１０２及び２枚の金属板（一方は不図示）１０６によって形成される磁界内にモータコイル９２が配設されるので、モータコイル９２に通電することによって、モータコイル９２及びそれを支持するスライダ８４がＹ方向に力を受ける。したがって、スライダ８４及びレンズ保持枠５０がＹ方向に移動され、よって、防振レンズ１６がＹ方向に移動される。以上が防振機構の構造である。
【００４３】
次に、本発明の特徴部分であるレンズ保持枠５０とスライダ８４との係合機構について説明する。図４は、レンズ保持枠５０とスライダ８４の係合部分を示す斜視図であり、図５は、Ｘ方向から見たガイド孔１１０の正面図である。また、図６は、防振機構を光軸Ｌ方向に見た正面図であり、ガイド部５６、５７、８６、８７を断面で示している。
【００４４】
上述したように、レンズ保持枠５０には移動ガイドバー８２がＸ方向に支持され、この移動ガイドバー８２がスライダ８４のガイド部８６、８７に係合されている。図４に示すように、ガイド部８７には、移動ガイドバー８２が挿入されるガイド孔１１０がＸ方向に形成されている。このガイド孔１１０はＹ方向の長孔であり、図５に示すように、光軸Ｌ方向の寸法Ｌ１が移動ガイドバー８２の直径と略同じ寸法であり、且つ、Ｙ方向の寸法Ｌ２が光軸Ｌ方向の寸法Ｌ１よりも若干長く形成されている。したがって、ガイド孔１１０に挿入された移動ガイドバー８２は、光軸Ｌ方向には隙間なく係合され、Ｙ方向には隙間（遊び）を持って係合される。
【００４５】
ガイド孔１１０のＹ方向と光軸Ｌ方向の寸法差（Ｌ２−Ｌ１）は、小さ過ぎると過拘束を防止することができず、大き過ぎるともう一方のガイド部８６に対して移動ガイドバー８２が斜めに係合してしまい摺動しなくなるので、寸法差（Ｌ２−Ｌ１）は、０．１〜０．２ｍｍ程度が好ましい。
【００４６】
なお、もう一方のガイド部８６のガイド孔１１２（図６参照）は、移動ガイドバー８２の直径と略同じ寸法の丸孔であり、移動ガイドバー８２が隙間なく係合される。したがって、ガイド部８６（すなわちスライダ８４）をＹ方向に移動させた際に、移動ガイドバー８２（すなわちレンズ保持枠５０）をＹ方向に精度良く移動させることができる。
【００４７】
また、スライダ５４のガイド部５６、５７のガイド孔１１４、１１６（図６参照）も同様に、移動ガイドバー５２の直径と略同じ寸法の丸孔で形成されており、移動ガイドバー５２が隙間なく係合される。したがって、ガイド部５６、５７（すなわちスライダ５４）をＸ方向に移動させた際に、移動ガイドバー５２（すなわちレンズ保持枠５０）を精度良くＸ方向に移動させることができる。
【００４８】
次に上記の如く構成されたレンズ保持枠５０とスライダ８４との係合機構の作用について説明する。
【００４９】
上述したように、レンズ保持枠５０には移動ガイドバー５２、８２が取り付けられており、この移動ガイドバー５２、８２がスライダ５４のガイド部５６、５７やスライダ８４のガイド部８６、８７に係合されている。したがって、レンズ保持枠５０は、スライダ５４、８４に対して合計四カ所で係合されており、部品精度や取付精度等が低い場合に、四カ所の係合部のいずれかで過拘束が生じるおそれがある。たとえば、固定ガイドバー６０、９０の一方が正規の位置からずれて傾いて取り付けられた場合は、ガイド部８７においてスライダ５４側からの拘束とスライダ８４側からの拘束によって、異なる二重の拘束を受けることになる。このため、従来（全てのガイド部５６、５７、８６、８７のガイド孔を丸孔とした場合）は、ガイド部８７において移動ガイドバー８２が摺動しなくなり、レンズ保持枠５０はスムーズに移動しなくなる。
【００５０】
そこで、本実施の形態では、ガイド部８７のガイド孔１１０をＹ方向に長い長孔にしている。これにより、ガイド孔１１０と移動ガイドバー８２との間にはＹ方向の隙間が形成されるので、この隙間によって部品精度や取付精度等の誤差を吸収することができる。
【００５１】
このように本実施の形態では、四つのガイド部５６、５７、８６、８７のうちの一つのガイド部８７でガイド孔１１０を長孔にしたので、過拘束が生じることを防止することができ、レンズ保持枠５０をスムーズに移動させることができる。また、過拘束を防止したことによって、他のガイド部５６、５７、８６において、ガイド部１１２〜１１６の内径と移動ガイドバー５２、８２の外径との寸法差を小さくしてもスムーズに摺動するようになり、光学特性を向上させることができる。
【００５２】
なお、上述した実施形態は、ガイド部８７のガイド孔１１０を長孔にしたが、これに限定するものではなく、ガイド孔１１０の代わりに、ガイド部８６のガイド孔１１２をＹ方向に長い長孔にしてもよい。
【００５３】
また、ガイド部８６、８７のガイド孔１１２、１１０を長孔にする代わりに、ガイド部５６のガイド孔１１４又はガイド部５７のガイド孔１１６を長孔にしてもよい。その場合、ガイド孔１１４（又はガイド孔１１６）はＸ方向の長孔に形成する。すなわち、ガイド孔１１４（又はガイド孔１１６）は、光軸Ｌ方向の寸法が移動ガイドバー５２の直径と略同じ寸法であり、Ｘ方向の寸法が光軸Ｌ方向よりも若干長くなるように形成する。これにより、そのガイド部５６（又はガイド部５７）において、ガイド孔１１４（又はガイド孔１１６）と移動ガイドバー５２との間に若干の隙間が形成されるので、過拘束を防止することができる。
【００５４】
また、上述した実施形態では、ガイド孔１１０〜１１６のいずれかを長孔にするようにしたが、これに限定するものではなく、ガイド孔１１０〜１１６のいずれかにおいて、移動ガイドバー５２、８２との間で光軸Ｌの直交方向の遊び（隙間）が形成される構成であればよい。したがって、たとえば移動ガイドバー８２においてガイド部８７が係合される範囲を削り加工することによって、Ｙ方向に遊びを設けるようにしてもよい。同様に、移動ガイドバー８２においてガイド部８６が係合される範囲を加工したり、移動ガイドバー５２においてガイド部５６又はガイド部５７が係合される範囲を加工したりしてもよい。
【００５５】
さらに、上述した実施形態は、移動ガイドバー５２、８２をレンズ保持枠５０に固定し、ガイド部５６、５７、８６、８７をスライダ５４、８４に形成したが、反対に、移動ガイドバー５２、８２をスライダ５４、８４に固定し、レンズ保持枠５０にガイド部５６、５７、８６、８７を設けるようにしてもよい。
【図面の簡単な説明】
【００５６】
【図１】実施の形態に係るレンズ装置を示す側断面図
【図２】防振レンズを装備した筐体を後方から見た斜視図
【図３】図２の筐体からアクチュエータを除いた斜視図
【図４】ガイド部のガイド孔を示す斜視図
【図５】ガイド部のガイド孔を示す正面図
【図６】防振機構を光軸方向に見た正面図
【符号の説明】
【００５７】
１０…レンズ装置、１１…レンズ鏡胴本体、１２…第１レンズ群、１４…第２レンズ群、１６…第３レンズ群、１８…第４レンズ群、５０…レンズ保持枠、５２…移動ガイドバー、５４…スライダ、５６、５７…ガイド部、８２…移動ガイドバー、８４…スライダ、８６、８７…ガイド部、１１０〜１１６…ガイド孔
【図１】
2008225267.tif 000003
【図２】
2008225267.tif 000004
【図３】
2008225267.tif 000005
【図４】
2008225267.tif 000006
【図５】
2008225267.tif 000007
【図６】
2008225267.tif 000008